(57)【特許請求の範囲】
【請求項１】
先端側に開閉栓を有する筒部と該筒部の基端の等配位置から軸方向に延出した脚部とからなる負圧シリンダを設け、該負圧シリンダの前記筒部内にピストンを気密に嵌入し、該ピストンは前記負圧シリンダの筒部の外面を覆う外筐体と基端面を介して一体で、該外筐体の基端面には前記負圧シリンダの脚部を通す貫通孔を設け、かつ外筐体の基端面寄りの外周に、内端部を螺合した薬液シリンジを設け、該薬液シリンジはその外端部に薬液注入吐出口を有し、該外端部内周には可動体を液密に嵌入し、該可動体と前記負圧シリンダの脚部の基端側とを当接させたことを特徴とする薬液持続注入器。
【請求項２】
前記外筐体が、その外周にハンドルとなる拡大部を設けたものであることを特徴とする請求項１に記載の薬液持続注入器。
【請求項３】
前記薬液シリンジが外筐体に対して取り外し可能であり、前記負圧シリンダを、前記薬液シリンジの陰圧方向に可動させた位置で固定するストッパーを有していることを特徴とする請求項１又は２に記載の薬液持続注入器。
【発明の詳細な説明】
【０００１】
【発明の属する技術分野】
本発明は、栄養剤溶液等の輸液、制癌剤、鎮痛剤等の薬剤を体内に一定の速度及び流量で注入するための薬液持続注入器に関するものである。
【０００２】
【従来の技術】
従来、この種の薬液持続注入器の代表的なものに、国際公開Ｗ０９５／２７９７７の技術がある。これは負圧シリンダと、これに気密嵌入したピストンとで作られる負圧空間と大気圧との圧力差により移動するピストンの移動力に連動して薬液シリンジ内のピストンを押圧して薬液を持続注入できるように構成されていた。
【０００３】
上記従来の薬液持続注入器は、負圧シリンダの気密を維持するためにシリンダ及びシリンジ内の２個所に摺動抵抗の大きな個所を必要とし、精密製造するためには困難が伴ったばかりでなく、使用上も薬液注入に大きな力が必要となり操作性が悪いという欠点があった。
【０００４】
そこで、本発明者は小さな力で薬液注入ができる操作性の良い薬液持続注入器を、実用新案登録第３０６８２６５号、特願２０００−１５７１６３号として開示した。これらは負圧シリンダとピストンとの気密性が１個所で維持でき、摺動抵抗が少なくなるように構成していること、及び薬液シリンジと負圧シリンダとを分離し、事前に薬液を注入した薬液シリンジが使用できることとし、製造コストの低減化と操作性及び利便性を向上させた。
【０００５】
【発明が解決しようとする課題】
しかしながら、本発明者は、上記両技術では、充分に満足せず、更に、簡易製造性及び部品点数の減少化、全長の短小化などの追求を課題とし、より製造コストの低減化と操作性及び利便性を向上させた薬液持続注入器の開発方を意欲的に目指した。
【０００６】
本発明は上記課題を解消するためのもので、その目的とするところは、部品点数が少なく製造が容易であり、製造コストを低減化し、全長を短小化してより扱い易くしたディスポーザブルの薬液持続注入器を提供することにある。また、他の目的は、薬液シリンジと負圧シリンダとの分離し、事前に薬液を注入した薬液シリンジが使用できる薬液持続注入器を提供することにある。
【０００７】
【課題を解決するための手段】
上記目的を達成するため、本発明に係る薬液持続注入器は、先端側に開閉栓を有する筒部と該筒部の基端の等配位置から軸方向に延出した脚部とからなる負圧シリンダを設け、該負圧シリンダの前記筒部内にピストンを気密に嵌入し、該ピストンは前記負圧シリンダの筒部の外面を覆う外筐体と基端面を介して一体で、該外筐体の基端面には前記負圧シリンダの脚部を通す貫通孔を設け、かつ外筐体の基端面寄りの外周に、内端部を螺合した薬液シリンジを設け、該薬液シリンジはその外端部に薬液注入吐出口を有し、該外端部内周には可動体を液密に嵌入し、該可動体と前記負圧シリンダの脚部の基端側とを当接させたことを特徴とし、外筐体を回すと、これと螺合している負圧シリンダが移動し、該負圧シリンダ内に予備真空部分（薬液シリンジ内の薬液を完全に注入させるための余圧部分）を簡単に作れる。しかも、負圧シリンダと薬液シリンジとを少ない部品点数にて薬液持続注入器が得られること、全長の短小化、操作性及び簡易製造性が有利に得られるように構成した。
【０００８】
また、請求項２に記載の発明に係る薬液持続注入器は、前記外筐体がその外周にハンドルとなる拡大部を設けたものであることを特徴とし、外筐体を螺動して負圧シリンダを移動し、該負圧シリンダ内に予備真空部分を作るときの、外筐体の螺動操作を楽に行えるように構成した。
【０００９】
また、請求項３に記載の発明に係る薬液持続注入器は、前記薬液シリンジが外筐体に対して取り外し可能であり、前記負圧シリンダを、前記薬液シリンジの陰圧方向に可動させた位置で固定するストッパーを有していることを特徴とし、薬液シリンジが、必要に応じて事前に薬液を注入したものが適用できるように構成した。
【００１０】
【発明の実施の態様】
次に、本発明の実施の態様を添付図面に基づいて説明する。図１は本願薬液持続注入器の正面断面図、図２（ａ）は負圧シリンダの脚部側から見た側面図、図２（ｂ）は負圧シリンダの正面図、図３（ａ）は外筐体の基端面側から見た側面図、図３（ｂ）は外筐体の正面図、図３（ｃ）はピストン支持部材の正面図、図３（ｄ）はピストンの正面図、図４は本願薬液持続注入器を負圧シリンダ側と薬液シリンジ側に分解した状態を示す正面図、図５は本願薬液持続注入器の負圧シリンダ内に予備真空部分を作った状態を示す正面断面図、図６は本願薬液持続注入器の薬液シリンジに薬液を注入終了時を示す正面断面図、図７は事前に薬液を注入した薬液シリンジを適用できるようにした場合における負圧シリンダの厚さ内にストッパーを形成した状態を示す部分拡大断面図である。
【００１１】
図において、１は本願薬液持続注入器である。該本願薬液持続注入器１は、負圧シリンダ２側と薬液シリンジ３側とが背中合わせになっている。この負圧シリンダ２は、図２（ａ）、（ｂ）に示す如く、先端側に開閉栓２１を有する筒部２２と、その基端から延出した脚部２３とを有する。脚部２３は筒部２２の基端を３等配（３等配には限らない。）する位置から軸方向に同幅に延び、各脚部間は同幅の切込み溝２３′となっている。
【００１２】
前記負圧シリンダ２の先端側に設けた開閉栓２１は、後記する如く、負圧シリンダ２の筒部２２内にピストン４を挿入するに際して取り外される。これは負圧シリンダ２の基端側よりピストン４を挿入したときに筒部２２内の空気を大気中に逃がすために必要なものである。
【００１３】
前記負圧シリンダ２の筒部２２内に気密に嵌入させたピストン４は、前記負圧シリンダ２の筒部２２の外面を覆った外筐体５と一体になっている。即ち、外筐体５の基端面５１は、図３（ａ）の如く、負圧シリンダ２の脚部２３が通る貫通孔５２が設けられている。
【００１４】
前記外筐体５には、図３（ｂ）の如く、基端面５１寄りの外周に雄ネジ部５３が設けられている。該雄ネジ部５３には薬液シリンジ３の内端側３１の内面に設けた雌ネジ部３２が螺合されている。また、外筐体５の先端寄りの外周には、該外筐体５を締め込んだり、緩めたりするために周方向に廻すためのハンドルとなる拡大部（ナット状の滑り止めが形成されている）５４が設けられている。
【００１５】
さらに、外筐体５の基端面５１の内面には、前記負圧シリンダ２の筒部２２内に遊嵌できる太さの筒体（プランジャに相当）５５が突出し、該筒体５５には図３（ｃ）の如く、ピストン支持部材５６が嵌合固定し、該支持部材５６には図３（ｄ）に示すピストン４が嵌着できるようになっている。
【００１６】
前記外筐体５と負圧シリンダ２とを結合させるには、前述の如く、外筐体５の基端面５１より突出させた筒体５５の先端にピストン４を支持部材５６を介して固定し、該ピストン４を負圧シリンダ２の筒部２２に挿入するが、この挿入時は先端側に設けた開閉栓２１を取り外しておく。そして、脚部２３の基端側を、外筐体５の基端面５１に設けた貫通孔５２から通過させる。次いで、外筐体５の外周に設けた雄ネジ部５３に、前記薬液シリンジ３の内面に設けた雌ネジ部３２を螺合する。従って、負圧シリンダ２と薬液シリンジ３とは背中合わせに結合されることとなる。なお、３３は該薬液シリンジ３の先端側に設けた薬液注入吐出口である。
【００１７】
前記薬液シリンジ３の外端側内周にはガスケット６１を介して液密に嵌入された可動体６が装填されているため、外筐体５と薬液シリンジ３とを螺合させると前記負圧シリンダ２の脚部２３の基端側が、前記可動体６に当接するようになっている。なお、図４では、負圧シリンダ２の脚部２３の基端側と、可動体６１とが固定されているように見えるが、必ずしも固定されている必要はない。
【００１８】
前記薬液シリンジ３の先端側内周にはガスケット６１を介して液密に嵌入された可動体６と、前記負圧シリンダ２の脚部２３の基端側とが当接した状態では前記雌ネジ部３２の端部Ａと雄ネジ部５３の元部Ｂとは、図１の如く、一定の距離だけ離反している。従って、外筐体５を薬液シリンジ３が締め込まれる方向に廻すと、外筐体５と一体のピストン４に対して負圧シリンダ２が前記Ａ〜Ｂの範囲で移動し、移動しない外筐体５と一体のピストン４との関係で負圧シリンダ２の先端側の筒部２２内に予備真空部分Ｃ′が形成されるようになっている。また、外筐体５を薬液シリンジ３が弛む方向に廻すと、外筐体５と薬液シリンジ３とが分離することとなる。
【００１９】
本願薬液持続注入器では、負圧シリンダ２を含む外筐体５と、薬液シリンジ３とが分離することを利用して、薬液シリンジ３として、空の薬液シリンジと、事前に薬液を注入した薬液シリンジとを交換的に適用できるようになる。この後者（事前に薬液を注入）の薬液シリンジを適用するときは、図７の如く、負圧シリンダ２の厚み内に設けた凹部２４内にストッパーＳを設け、該ストッパーＳが、負圧シリンダ２を前記薬液シリンジの陰圧方向に移動させた位置で外筐体５の一部に係止するように構成することが必要になることは勿論である。なお、図中、Ｓ′はストッパーＳを係止方向に付勢する付勢手段を示す。
【００２０】
次に、本願薬液持続注入器１の作用について、図１、図５及び図６に基づいて説明する。まず、片手にて薬液シリンジ３側を把持しておき、他方の手で外筐体５の拡大部５４を把持して薬液シリンジ３の雌ネジ部３２が、外筐体５の雄ネジ部５３に締め込まれる方向に廻す。これにより、薬液シリンジ３は、図１の位置から、図５の矢印イの如く移動し、脚部２３を介して負圧シリンダ２の筒部２２を、矢印ロの如く、押し出す。一方、外筐体５と一体の負圧シリンダ３内のピストン４は同じ場所を維持（移動しない）するために、負圧シリンダ２の先端側の筒部２２内には予備真空部分Ｃ′が形成されることとなる。前記外筐体５の移動は薬液シリンジ３の雌ネジ部３２の端部Ａが外筐体５の雄ネジ部５３の元部Ｂに突き当たるまで行われる。
【００２１】
次に、薬液シリンジ３の薬液注入吐出口３３より薬液Ｄを、矢印ハの如く、注入する。これにより、薬液シリンジ３の外端部内端面３′と、ガスケット６１を備えた可動体６の端面６′との間に薬液が溜まるにつれて、可動体６は負圧シリンダ２の脚部２３を介して筒部２２を、矢印ロ方向に更に押し出す。そして、図６の如く、薬液シリンジ３内が満タンになると、負圧シリンダ２の筒部２２内の陰圧状態Ｃは最大となる。
【００２２】
その後、薬液シリンジ３の薬液注入吐出口３３に接続した器具（図示せず）を人体の血管等に接続すれば、薬液シリンジ３内の薬液Ｄは負圧シリンダ２の筒部２２内にピストン４との関係により形成された陰圧の作用で矢印ロ′方向に移動する負圧シリンダ２により押圧される可動体６のガスケット６１の作用により前記器具を通して人体内に、一定の速度及び流量で持続注入されることとなる。なお、薬液シリンジ３内の薬液Ｄは、薬液シリンジ３内への注入前に予備真空部分Ｃ′がつくられているため、その全量が完全に押し出されることとなる。
【００２３】
次に、本願薬液持続注入器において、負圧シリンダ２を含む外筐体５から空の薬液シリンジ３を所定のように分離し、事前に薬液を注入した薬液シリンジを適用する場合を説明する。この場合は、分離した負圧シリンダ２の脚部２３の基端部を机上などに強く押し付けて負圧シリンダ２内を最大の陰圧状態Ｃとする。この最大の陰圧状態ＣはストッパーＳの作用で維持される。しかる後、事前に薬液が注入された薬液シリンジを外筐体５に螺合する。この状態は、図６の如く、薬液シリンジ３内が満タンになった状態と共通となる。従って、前記薬液シリンジ３の薬液注入吐出口３３に、前述の如く、接続した器具（図示せず）を人体の血管等に接続し、前記ストッパーＳを付勢手段Ｓ′に抗して解除（手指等により凹部２４内に押し込む。）すれば、薬液シリンジ３内の薬液は、負圧シリンダ２により押圧される可動体６のガスケット６１により一定圧で人体内に持続注入されることとなる。
【００２４】
【発明の効果】
以上説明した如く、本発明に係る薬液持続注入器は、先端側に開閉栓を有する筒部と該筒部の基端の等配位置から軸方向に延出した脚部とからなる負圧シリンダを設け、該負圧シリンダの前記筒部内にピストンを気密に嵌入し、該ピストンは前記負圧シリンダの筒部の外面を覆う外筐体と基端面を介して一体で、該外筐体の基端面には前記負圧シリンダの脚部を通す貫通孔を設け、かつ外筐体の基端面寄りの外周に、内端部を螺合した薬液シリンジを設け、該薬液シリンジはその外端部に薬液注入吐出口を有し、該外端部内周には可動体を液密に嵌入し、該可動体と前記負圧シリンダの脚部の基端側とを当接させたことを特徴としているから、負圧シリンダと薬液シリンジとが背中合わせになっており、少ない部品点数による製造が可能になる。また、外筐体を廻すだけで、薬液シリンジ３内の薬液を完全に出し切るための予備真空部分（余圧部分）が簡単に形成できる。さらに、薬液シリンジの薬液注入吐出口より薬液を注入すれば薬液シリンジ内のピストンの押し作動により負圧シリンダの筒部内に真空（陰圧）部分が簡単に形成でき、操作性も極めて良好になるなど各種の優れた効果を奏する。
【００２５】
また、請求項２に記載の発明に係る薬液持続注入器は、前記外筐体がその外周にハンドルとなる拡大部を設けたものであることを特徴としているから、外筐体を螺動して負圧シリンダを移動し、該負圧シリンダ内に予備真空部分を作るときの、外筐体の螺動操作を楽に行えるという優れた効果を奏する。
【００２６】
また、請求項３に記載の発明に係る薬液持続注入器は、前記薬液シリンジが外筐体に対して取り外し可能であり、前記負圧シリンダを、前記薬液シリンジの陰圧方向に可動させた位置で固定するストッパーを有していることを特徴としているから、薬液シリンジを、必要に応じて事前に薬液を注入したものに交換適用できるという優れた効果を奏する。
【図面の簡単な説明】
【図１】本願薬液持続注入器の正面断面図である。
【図２】（ａ）は負圧シリンダの脚部側から見た側面図、（ｂ）は負圧シリンダの正面図である。
【図３】（ａ）は外筐体の基端面側から見た側面図、（ｂ）は外筐体の正面図、（ｃ）はピストン支持部材の正面図、（ｄ）はピストンの正面図である。
【図４】本願薬液持続注入器を負圧シリンダ側と薬液シリンジ側に分解した状態を示す正面図である。
【図５】本願薬液持続注入器の負圧シリンダ内に予備真空部分を作った状態を示す正面断面図である。
【図６】本願薬液持続注入器の薬液シリンジに薬液を注入終了時を示す正面断面図である。
【図７】事前に薬液を注入した薬液シリンジを適用できるようにした場合における負圧シリンダの肉厚内にストッパーを形成した状態を示す部分拡大断面図である。
【符号の説明】
１  本願薬液持続注入器
２  負圧シリンダ
２１  開閉栓
２２  筒部
２３  脚部
２３′  切込み溝
２４  凹部
３  薬液シリンジ
３１  内端側
３２  雌ネジ部
３３  薬液注入吐出口
３′  薬液シリンジの外端部内端面
４  ピストン
５  外筐体
５１  基端面
５２  貫通孔
５３  雄ネジ部
５４  拡大部
５５  筒体
５６  ピストン支持部材
６  可動体
６１  ガスケット
６′  ピストンの端面
Ａ  雌ネジ部端部
Ｂ  雄ネジ部の元部
Ｃ  陰厚状態
Ｃ′  予備真空部分
Ｄ  薬液
Ｓ  ストッパー
Ｓ′  付勢手段
【図１】
0004157296.tif 000002
【図２】
0004157296.tif 000003
【図３】
0004157296.tif 000004
【図４】
0004157296.tif 000005
【図５】
0004157296.tif 000006
【図６】
0004157296.tif 000007
【図７】
0004157296.tif 000008